(57)【特許請求の範囲】
【請求項１】
申込みを受け付ける受付装置であって、
前記申込みに用いられる申込情報を取得して、凹凸により言語を表記する凹凸文字、及び墨字のそれぞれにより申込用紙へ印字する印字手段と、
前記申込用紙を前記受付装置に拘束した状態で、前記申込用紙のうち少なくとも前記印字手段により印字された部分を提示する提示手段と、
前記拘束がされた状態で申込者から申込操作を受け付ける申込受付手段と、
を備える受付装置。
【請求項２】
前記提示手段は、前記申込受付手段による受け付けがされた場合に、前記申込用紙の前記拘束を解除する、
請求項１に記載の受付装置。
【請求項３】
前記申込受付手段による受け付けがされた場合に、申込みが受付済みであることを示す表記を、凹凸文字及び墨字のそれぞれで前記申込用紙へ印字する受付済印字手段を更に備える、
請求項１または２に記載の受付装置。
【請求項４】
前記受付装置は、申込みを処理する申込処理装置と通信可能に接続し、
前記申込受付手段は、前記申込情報を前記申込処理装置へ送信して、前記申込処理装置に前記申込みを処理させる、
請求項１から３の何れか一項に記載の受付装置。
【請求項５】
前記受付装置は、申込用紙の光学的な画像情報を読み取る画像読取手段を更に備え、
前記申込受付手段は、前記拘束がされた状態で前記申込操作を受け付けた場合に、前記画像読取手段によって前記申込用紙の画像情報を取得し、取得した画像情報が示す申込情報に基づく申込みを受け付ける、
請求項１から４の何れか一項に記載の受付装置。
【請求項６】
申込みの受付方法であって、
凹凸により言語を表記する凹凸文字を印字する凹凸文字印字部と、
墨字を印字する墨字印字部と、
申込用紙を拘束する拘束部と、
を備える装置が、
前記申込みに用いられる申込情報を取得し、前記凹凸文字印字部及び前記墨字印字部を用いて、凹凸文字及び墨字のそれぞれにより、前記申込情報を前記申込用紙へ印字する印字ステップと、
前記拘束部を作動させて、前記申込用紙のうち少なくとも前記印字ステップにおいて印字された部分が提示されるように、前記申込用紙を前記装置に拘束する拘束ステップと、
前記拘束がされた状態で申込者からの申込操作を受け付ける申込受付ステップと、
を実行する、受付方法。
【発明の詳細な説明】
【技術分野】
【０００１】
本発明は、申込みを受け付ける装置に関する。
【背景技術】
【０００２】
従来、窓口等において様々な取引依頼やサービスの書面による申込みが行われている。例えば、銀行窓口で払込依頼書を用いた送金サービスの申込みが行われている。
【０００３】
このような窓口等の手続きにおいて、視覚障害者等が申込みを行う場合、申込用紙への筆記が困難であるため、窓口担当者等が代筆して記入することが行われている。この際、窓口担当者が視覚障害者等である申込者に口頭で記入内容を確認することや、申込者の家族等が記入された内容を確認することが行われている。
【０００４】
また従来、視覚障害者等の手続きを支援する技術が提案されている。例えば、目の不自由な者による書類内容の確認を支援する書類自動発行機が提案されている（特許文献１を参照）。視覚障害者等の投票を支援する投票システムも提案されている（特許文献２及び３を参照）。視覚障害者が、印刷物の機械読み取り可能なコードを用いて、企業が提供する個人情報を、インターネットを介して入手可能とする技術も提案されている（特許文献４を参照）。
【先行技術文献】
【特許文献】
【０００５】
【特許文献１】特開平１０−１２４７３６号公報
【特許文献２】特開２０００−３３０４６６号公報
【特許文献３】特開２００２−１５７６２５号公報
【特許文献４】特開２００３−１７８２７６号公報
【発明の概要】
【発明が解決しようとする課題】
【０００６】
上述のような窓口での代筆や口頭確認等によると、申込者である視覚障害者等は、書面による申込みを行うことが可能になる。
【０００７】
しかし、記入内容の確認が、窓口担当者や家族等の申込者本人以外の他者を介したものであるため、申込者との意思疎通の不全や確認漏れ等が発生し得た。そのため、申込者本人の意思等と異なった内容や誤記等を含む書面による申込みが受け付けられ、処理されてしまう場合があり得た。提案されている上述の視覚障害者等の手続きを支援する技術を用いても、このような場合が必ずしも防止されるわけではない。
【０００８】
このような状況に鑑み、本発明は、視覚障害者等が信頼性のより高い書面申込みを行うための支援技術を提供することを課題とする。
【課題を解決するための手段】
【０００９】
本発明では、上記課題を解決するために、以下の手段を採用した。すなわち、本発明は、次の受付装置である。
申込みを受け付ける受付装置であって、
前記申込みに用いられる申込情報を取得して、凹凸により言語を表記する凹凸文字、及び墨字のそれぞれにより申込用紙へ印字する印字手段と、
前記申込用紙を前記受付装置に拘束した状態で、前記申込用紙のうち少なくとも前記印
字手段により印字された部分を提示する提示手段と、
前記拘束がされた状態で申込者から申込操作を受け付ける申込受付手段と、
を備える受付装置。
【００１０】
ここで、凹凸により言語を表記する凹凸文字は、触覚により知覚できる文字全般を意味し、例えば、点字である。また、墨字は、視覚により知覚できる文字を意味する。また、申込用紙は、申込者の意思、希望等を伝えるための用紙であり、依頼書、契約書、申請書、取扱票、申込書、その他の名称の用紙であってもよい。
【００１１】
本発明によれば、申込用紙が受付装置に拘束された状態で、申込情報が凹凸文字及び墨字により印字された部分が提示された後、申込操作が受け付けられる。そのため、視覚障害者等である申込者本人が、凹凸文字によって申込用紙の記載内容を直接確認した上で、用紙の取り違え等がないままに、当該確認した申込用紙に対して申込みの意思を表示できる。そのため、申込者の意図しない記載に基づく申込みが受け付けられてしまうことを抑制できる。本発明によれば、視覚障害者等が、信頼性のより高い、書面による申込みを行うことができる。
【００１２】
また、本発明に係る受付装置は、次の特徴を有してもよい。
前記提示手段は、前記申込受付手段による受け付けがされた場合に、前記申込用紙の前記拘束を解除する。
【００１３】
このような本発明によれば、凹凸文字及び墨字で申込みの内容を記した申込用紙が、申込みの受け付け後に受付装置から引き離し可能になる。そのため、視覚障害者にとっても、内容を容易に確認可能な書面を申込の証跡として保管等することができる。
【００１４】
また、本発明に係る受付装置は、次の特徴を有してもよい。
前記申込受付手段による受け付けがされた場合に、申込みが受付済みであることを示す表記を、凹凸文字及び墨字のそれぞれで前記申込用紙へ印字する受付済印字手段を更に備える。
【００１５】
このような本発明によれば、受付済みであることが、凹凸文字及び墨字で申込用紙に記録される。そのため、受付済みであることが視覚障害者にとっても容易に確認可能な書面を、申込みの証跡として保管等できる。
【００１６】
また、本発明に係る受付装置は、次の特徴を有してもよい。
前記受付装置は、申込みを処理する申込処理装置と通信可能に接続し、
前記申込受付手段は、前記申込情報を前記申込処理装置へ送信して、前記申込処理装置に前記申込みを処理させる。
【００１７】
このような本発明によれば、受け付けられた申込みの申込情報が自動的に送信され、処理され得るため、申込みを効率よく処理することができる。
【００１８】
また、本発明に係る受付装置は、次の特徴を有してもよい。
前記受付装置は、申込用紙の光学的な画像情報を読み取る画像読取手段を更に備え、
前記申込受付手段は、前記拘束がされた状態で前記申込操作を受け付けた場合に、前記画像読取手段によって前記申込用紙の画像情報を取得し、取得した画像情報が示す申込情報に基づく申込みを受け付ける。
【００１９】
このような本発明によれば、申込操作がされた際の申込用紙の実際の記載に基づいて申込みが受け付けられる。そのため、申込みの内容を示す原本としての申込用紙を保管等す
ることが可能になる。万一、申込みが受け付けられた後に申込みに関する何らかのトラブルが発生した場合等に、その原本の書面を容易に確認することができる。
【００２０】
また、本発明は、次の受付方法であってもよい。
申込みの受付方法であって、
凹凸により言語を表記する凹凸文字を印字する凹凸文字印字部と、
墨字を印字する墨字印字部と、
申込用紙を拘束する拘束部と、
を備える装置が、
前記申込みに用いられる申込情報を取得し、前記凹凸文字印字部及び前記墨字印字部を用いて、凹凸文字及び墨字のそれぞれにより、前記申込情報を前記申込用紙へ印字する印字ステップと、
前記拘束部を作動させて、前記申込用紙のうち少なくとも前記印字ステップにおいて印字された部分が提示されるように、前記申込用紙を前記装置に拘束する拘束ステップと、
前記拘束がされた状態で申込者からの申込操作を受け付ける申込受付ステップと、
を実行する、受付方法。
【発明の効果】
【００２１】
本発明によれば、視覚障害者等が信頼性のより高い書面申込みを行うことができる。
【図面の簡単な説明】
【００２２】
【図１】図１は、実施の形態における金融サービスシステムを例示する図である。
【図２】図２は、実施の形態に係る受付装置の外観を例示する図である。
【図３】図３は、実施の形態に係る受付装置の内部構成を例示する図である。
【図４】図４は、実施の形態における受付装置の機能構成を例示する図である。
【図５】図５は、実施の形態における申込用紙の印字様式を例示する図である。
【図６】図６は、実施の形態における印字時の申込用紙の配置を例示する図である。
【図７】図７は、実施の形態における提示時の申込用紙の配置を例示する図である。
【図８】図８は、提示動作の流れを例示する図である。
【図９】図９は、申込受付動作の流れを例示する図である。
【図１０】図１０は、別の実施の形態に係る受付装置のハードウェア構成を例示する図である。
【発明を実施するための形態】
【００２３】
以下、本発明の実施の形態（以下、「本実施形態」とも表記する）を、図面に基づいて説明する。なお、以下に説明する実施の形態は、本発明を実施する一例を示すものであって、本発明を以下に説明する具体的な構成に限定するものではない。本発明を実施するにあたっては、実施の形態に応じた具体的な構成が適宜採用されることが好ましい。
【００２４】
本実施形態に係る受付装置は、銀行店舗の窓口において、送金、口座開設等の金融サービスの申込みを受け付ける装置として説明される。また、本実施形態に係る凹凸文字は、点字として説明される。また、本実施形態に係る申込処理装置は、ホストコンピュータとして説明される。なお、受付装置は、金融サービスの申込みに限らず、保険契約の申込み、旅行代理店における旅行参加の申込み、転居時における郵便物等の転送サービスの申込み、その他の様々な申込みを受け付ける装置であってもよい。
【００２５】
＜ハードウェア構成＞
図１は、本実施形態における金融サービスシステムを例示する図である。図１には、受付装置１、申込用紙２、窓口端末３、銀行店舗４、ホストコンピュータ５、及びネットワーク６が示されている。
【００２６】
受付装置１は、銀行店舗４の窓口に設置され、銀行店舗４に訪れて手続きを行う申込者が申込みの意思表示をするために申込操作を行う装置である。受付装置１には、申込みの手続きに用いる申込用紙２が載置される。受付装置１の詳細な構成は、後述する。
【００２７】
申込用紙２は、窓口での申込みに使用され、必要事項記入するための所定の用紙である。申込用紙２は、例えば、口座への送金を申し込むために、送金先口座や申込者の情報を記入する用紙である。なお、受付装置１が使用する申込用紙２は、視覚障害を有さない者が窓口で通常使用する用紙と共通のものであることが好ましいが、受付装置１専用の用紙であってもよい。
【００２８】
窓口端末３は、銀行店舗４の窓口に設置され、手続きを担当する窓口担当者が操作するコンピュータである。窓口端末３は、窓口における手続きに関する各種処理を行う。窓口端末３は、受付装置１と通信可能に接続する。また、窓口端末３は、ネットワーク６を介してホストコンピュータ５とも通信可能に接続する。また、窓口端末３は、キーボード等の操作部３１を備える。
【００２９】
ホストコンピュータ５は、計算センター等に設置される、メインフレーム等の大型コンピュータである。ホストコンピュータ５は、金融取引に関する各種処理等を行う。ホストコンピュータ５は、ＨＤＤ（Ｈａｒｄ  Ｄｉｓｋ  Ｄｒｉｖｅ）等の補助記憶装置５１を備える。補助記憶装置５１には、預金口座の管理情報や受付済みの申込みに関する情報などを格納するデータベースが構築されている。なお、図１では、ホストコンピュータ５が１台のコンピュータで例示されているが、ホストコンピュータ５は、例えば、ネットワークで接続された複数台のコンピュータであってもよい。
【００３０】
ネットワーク６は、専用回線等を用いて構成される通信ネットワークである。なお、ネットワーク６には、イントラネット、ＶＰＮ（Ｖｉｒｔｕａｌ  Ｐｒｉｖａｔｅ  Ｎｅｔｗｏｒｋ）等が用いられてもよい。
【００３１】
図２は、本実施形態に係る受付装置１の外観を例示する図である。図２（ａ）は、受付装置１の外観を例示する斜視図であり、図２（ｂ）は、受付装置１を上方から見た平面図である。
【００３２】
受付装置１には、申込用紙２が水平に載置される載置台１１、載置台１１の上方に設けられた固定カバー１２、載置台１１上に設けられた申込ボタン１３、及び、窓口端末３と接続する通信ケーブル１４を備える。固定カバー１２には、申込用紙２が挿入され、固定カバー１２を図中の左右の方向に貫通する挿通孔１２１が、載置台１１の高さに設けられている。また、載置台１１及び固定カバー１２は、各種の機械部品や電子部品が収納される筐体になっている。申込ボタン１３は、申込者が受付装置１へ申込みの意思を伝えるための押しボタンである。
【００３３】
図３は、本実施形態に係る受付装置１の内部構成を例示する図である。図３（ａ）は、受付装置１の主要断面を示す模式図である。図３（ａ）には、図２（ｂ）に示したＡＡ’線断面が示されている。載置台１１内部には、点字印字部１５、紙送りローラ１７、及び制御部１９が設けられている。固定カバー１２内部には、墨字印字部１６、及び固定部１８が設けられている。載置台１１と固定カバー１２との間は、申込用紙２が通過可能な幅を有する挿通孔１２１である。
【００３４】
点字印字部１５は、入力される点字データに対応した突起パターンを用紙面に形成することで、点字を用紙へ印字する部品である。点字印字部１５は、凹凸文字印字部の一例で
ある。点字印字部１５として、例えば、裏面から金属ピンで叩いて用紙を突起させて点字を形成するドットインパクト方式の点字プリンタを採用できる。なお、点字印字部１５は、熱転写方式の点字プリンタ等その他の点字出力機器であってもよい。
【００３５】
墨字印字部１６は、入力される文字データに対応した文字の形状に応じて、インクやトナーを用紙へ付着させることで、墨字を用紙へ印字する部品である。墨字印字部１６として、例えば、ドットインパクト方式、インクジェット方式、あるいはレーザ方式のプリンタを採用できる。
【００３６】
紙送りローラ１７は、紙送りローラ１７と接する申込用紙２を載置台１１上で移動するための略円筒形の部品である。紙送りローラ１７は、モータと接続しており、モータによって回転駆動する。紙送りローラ１７と接する申込用紙２は、摩擦等よって、図３（ａ）の左右方向に移動することになる。
【００３７】
固定部１８は、挿通孔１２１に挿入された申込用紙２を載置台１１上で固定するための部品である。固定部１８は、制御信号に従ってその底面が上下に駆動する。固定部１８の底面が下方へ移動すると、挿通孔１２１に挿入された申込用紙２は、鉛直下向きに押圧され、載置台１１の上面との間で挟圧されて固定される。固定部１８の底面及び載置台１１の上面との間の摩擦力等によって、通常程度の力強さを有する者では、申込用紙２を受付装置１から引き離すことができなくなる。固定部１８の底面の表面は例えばゴム製であり、申込用紙２に傷等がつかないように押止できる。固定部１８は、拘束部の一例である。
【００３８】
また、固定部１８は、申込用紙２への押圧の阻害を検出するセンサや、固定中である申込用紙２の移動を検出するセンサを有しており、固定動作が阻害されたことを検出できる。固定部１８は、例えば、外部からの力で無理に固定が解除された場合や、固定された申込用紙２が引き抜かれた場合に、固定動作の阻害を検出する。
【００３９】
なお、１つまたは複数の穴が所定位置に設けられた申込用紙２を採用し、固定部１８は、申込用紙２の各穴に、棒状の挿通部材を挿通させることで、申込用紙２を載置台１１上で固定するものであってもよい。この場合において、固定部１８は、上下に駆動する挿通部材を申込用紙２の穴と同数有する。挿通部材の水平断面の形状及び大きさは、穴の形状及び大きさに応じたものとなっている。固定部１８は、まず、挿通部材それぞれを下降させて、載置台１１上の申込用紙２の各穴を通過させる。固定部１８は、次に、挿通部材を静止させ、挿通部材が紙面に対して垂直に申込用紙２を貫通した状態を維持する。挿通部材がこのように穴に挿通されると、各挿通部材によって各穴が埋められた状態になり、申込用紙２は、載置台１１に固定される。
【００４０】
また、固定部１８は、申込用紙２の裏面の全部または一部を、下方から真空ポンプ等を用いて吸引することで、申込用紙２を載置台１１上で固定するものであってもよい。また、固定部１８は、帯電装置を用いて静電気により申込用紙２を載置台１１上で固定するものであってもよい。また、申込用紙２を固定する固定部１８の代わりに、固定はしないが申込用紙２を載置台１１近傍から自由に移動できないように、その移動を制限するものが採用されてもよい。
【００４１】
制御部１９は、点字印字部１５、墨字印字部１６、紙送りローラ１７、固定部１８等の各種部品と電気的に接続し、各種部品を制御する電子回路基板である。図３（ｂ）は、制御部１９の構成を例示する図である。制御部１９には、ＣＰＵ（Ｃｅｎｔｒａｌ  Ｐｒｏｃｅｓｓｉｎｇ  Ｕｎｉｔ）１９１、ＲＡＭ（Ｒａｎｄｏｍ  Ａｃｃｅｓｓ  Ｍｅｍｏｒｙ）１９、ＲＯＭ（Ｒｅａｄ  Ｏｎｌｙ  Ｍｅｍｏｒｙ）１９３、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌ
ｙ  Ｍｅｍｏｒｙ）等の不揮発性メモリ１９４、及び通信インターフェース部１９５が配置される。
【００４２】
ＣＰＵ１９１は、中央処理装置であり、ＲＡＭ１９２等に展開されたプログラムの命令及びデータを処理することで、各種機器等を制御する。ＲＡＭ１９２は、主記憶装置であり、ＣＰＵ１９１によって制御され、各種命令やデータが書き込まれ、読み出される。不揮発性メモリ１９４には、各種プログラムやデータが書き込まれる。不揮発性メモリ１９４には、申込用紙２のレイアウト情報を格納するレイアウトデータベース、注釈メッセージを格納する注釈データベース等も構築されている。通信インターフェース部１９５は、通信ケーブル１４が接続され、窓口端末３との通信を可能とする。
【００４３】
＜機能構成＞
図４は、本実施形態における受付装置１の機能構成を例示する図である。受付装置１は、不揮発性メモリ１９４に記憶されているプログラムが、ＲＡＭ１９２に読み出され、ＣＰＵ１９１によって実行されることで、点字印字部１５等の各種機器が制御されて動作し、印字手段Ｆ１１、提示手段Ｆ１２、申込受付手段Ｆ１３、受付済印字手段Ｆ１４、及び解除手段Ｆ１５を備える装置として機能する。各機能を順に説明する。
【００４４】
なお、本実施形態において、受付装置１が備える各機能の制御は、汎用プロセッサであるＣＰＵ１９１によって実行されるが、これらの制御の一部または全部は、１または複数の専用プロセッサ、ハードウェアの演算回路等によって実行されてもよい。ここで、ハードウェアの演算回路とは、例えば、論理ゲートを組み合わせた加算回路、乗算回路、フリップフロップ等をいう。また、これらの制御の一部または全部は、点字印字部１５、墨字印字部１６、紙送りローラ１７、固定部１８等の各種部品が行ってもよい。
【００４５】
（印字手段Ｆ１１）
印字手段Ｆ１１は、申込みに用いられる申込情報を取得して、点字及び墨字のそれぞれにより申込用紙２へ印字する。ここで、申込情報は、申込用紙２に記入される情報であり、例えば、申込者が送金サービスを申し込む場合には、送金先の口座番号、受取人名、送金金額、申込者の住所、氏名等を示す情報である。
【００４６】
印字手段Ｆ１１は、通信ケーブル１４を介して窓口端末３から送信される申込情報を受信することで、申込情報を取得する。また、本実施形態の印字手段Ｆ１１は、申込情報に加えて、申込みの対象となる金融サービスの種類を示す申込種類情報も窓口端末３から受信して取得する。
【００４７】
本実施形態では、申込情報は窓口担当者が操作部３１を操作することによって窓口端末３へ入力される。また、申込種類情報も、窓口担当者が操作部３１を操作することによって窓口端末３へ入力される。そして、入力された申込情報及び申込種類情報は、窓口端末３から受付装置１へ送信されて、印字手段Ｆ１１によって取得されることになる。
【００４８】
なお、本実施形態では、申込情報のすべての項目が、窓口担当者の操作によって入力されるが、入力の方法はこのような方法に限定されない。例えば、住所、氏名等の申込者の情報を、申込者が窓口へ持参するキャッシュカードに予め記録しておき、窓口端末３に接続したカードリーダから、申込者の情報を読み出して窓口端末３へ入力してもよい。
【００４９】
また、本実施形態では、印字手段Ｆ１１が申込情報を窓口端末３から通信を介して取得するが、受付装置１が申込情報を入力するためのキーボード等の入力部を備え、印字手段Ｆ１１は、入力部から入力された申込情報を取得してもよい。
【００５０】
印字手段Ｆ１１は、受付装置１に載置された未記入の申込用紙２に対して、取得した申込情報を点字及び墨字のそれぞれにより印字する。本実施形態の印字手段Ｆ１１は、同一の内容を示す点字列及び墨字列の対応関係がわかるように、対応する点字列及び墨字列を互いに近い位置に印字する。
【００５１】
図５は、本実施形態における申込用紙２の印字様式を例示する図である。図５（ａ）は、印字前の申込用紙２の様式を例示する図である。印字前の申込用紙２には、申込みに関する各項目を記入する記入欄として、２０１Ａ、２０２Ａ、２０３Ａ、２０４Ａ等が設けられている。例えば、記入欄２０１Ａは、送金を行う場合の送金先口座や送金額等を記入する取引内容の記入欄であり、記入欄２０２Ａは、申込者の氏名を記入する欄である。なお、印字前の申込用紙２は、このような記入欄が設けられている用紙に限らず、白紙の用紙であってもよい。
【００５２】
図５（ｂ）は、印字後の申込用紙２を例示する図である。図中の網掛けがされた「∩」記号は、点字の印字箇所を示し、その印字内容は、付近の墨字の記載に対応した内容である。例えば、点字列２０２Ｃは、氏名の記入欄２０２Ａ内に印字された墨字列２０２Ｂと対応しており、氏名を表記するものである。具体的には、点字列２０２Ｃとして、図５（ｃ）に示すような点字パターンが、申込用紙２の紙面を盛り上げるように形成される。また、備考の記入欄２０４Ａには、申込情報の印字の表記に関する注釈メッセージが、墨字列２０４Ｂ及び点字列２０４Ｃとして印字される。また、申込用紙２の書類名、記入欄の項目名等も、点字列２０５Ｃ、２０６Ｃ等として印字される。
【００５３】
印字手段Ｆ１１は、申込用紙２が載置台１１の所定位置に配置されている場合において、受付装置１から申込情報及び申込種類情報を取得したときに、印字を開始する。
【００５４】
図６は、本実施形態における印字時の申込用紙２の配置を例示する図である。図６（ａ）は、申込用紙２の印字開始前の配置を例示する図である。この配置では、申込用紙２の四辺うち、上方一辺が固定カバー１２の挿通孔１２１に挿入されている。本実施形態では、例えば、窓口担当者が申込用紙２を当該位置に配置する。なお、受付装置１が、複数の申込用紙２を蓄積して、当該位置に配置されるように給紙する給紙機構を更に有し、申込用紙２が自動的に配置されるようにしてもよい。
【００５５】
図６（ｂ）は、印字中の受付装置１の様子を例示する図である。印字手段Ｆ１１は、点字印字部１５及び墨字印字部１６を制御して、点字及び墨字のそれぞれで申込用紙２へ申込情報を印字する。点字印字部１５は、点字を表す突起を申込用紙２に形成し、墨字印字部１６は、墨字を表すインク等を申込用紙２に付着させる。この際、印字手段Ｆ１１は、紙送りローラ１７を駆動して、申込用紙２を挿通孔１２１内で移動させて印字位置を調整する。なお、点字及び墨字の印字は、同時に行われてもよいし、順に行われてもよい。
【００５６】
印字手段Ｆ１１は、点字の印字にあたり、点字訳の処理を行う。本実施形態の点字には、ブライユ式が採用されおり、漢字等を点字として直接表記できない。そのため、印字手段Ｆ１１は、申込情報に含まれる文字のうち、漢字等の点字として直接表記できない文字を、所定の規則で読み仮名に変換し、点字訳を生成した上で印字する。なお、このような所定の規則による機械的な点字訳に限らず、点字の一部が窓口担当者等によって手動入力される方式が採用されてもよい。
【００５７】
また、申込情報は、旧字体や複数の読み方がある等の理由で、点字訳をすると元の文字が特定できないような文字を含む場合がある。また、申込情報は、類似する外観を有する文字がある等の理由で、窓口担当者が誤入力しやすい文字を含む場合がある。印字手段Ｆ１１は、このような文字が申込情報に含まれる場合、元の文字の表記を伝えるための注釈
メッセージを、注意喚起のメッセージとして、当該文字が含まれている記入項目名とともに、備考の記入欄２０３Ａに点字及び墨字で印字する。この印字は、例えば、対象となる混同しやすい文字と所定の注釈メッセージとの組を不揮発性メモリ１９４に注釈データベースとして記憶しておくことで実現される。なお、注釈データベースは、窓口端末３、ホストコンピュータ５、その他の記憶機能を持った装置によって記憶され、受付装置１が、通信インターフェース部１９５を介して注釈メッセージに関する情報を、その記憶先から取得してもよい。また、注釈メッセージは、備考の記入欄の代わりに、申込用紙２の余白等に記載されてもよい。
【００５８】
このような注釈メッセージの印字によれば、視覚障害者等が、より高い精度で申込情報の内容確認を行うことができる。特に、氏名、住所等の正確な表記が求められる金融機関での手続き等において、より効果的な申込情報の事前確認が可能となる。
【００５９】
なお、点字には、漢点字等、漢字を直接表記できる方式が採用されてもよい。また、点字の代わりに、点以外の凹凸パターンで触覚により知覚できる文字や図形が採用されてもよい。
【００６０】
印字手段Ｆ１１は、印字位置の調整に関して、不揮発性メモリ１９４のレイアウトデータベースを参照し、窓口端末３から取得した申込種類情報に対応する、申込用紙２のレイアウト情報を取得する。印字手段Ｆ１１は、取得したレイアウト情報が示す申込用紙２における各記入欄の位置を参照して、申込情報の各項目を、申込用紙２の適切な位置に印字する。このような印字手段Ｆ１１の処理によって、本実施形態の受付装置１は、複数種類の申込用紙２に対応できる。
【００６１】
なお、受付装置１が、載置された申込用紙２の種類を自動的に識別して申込種類情報を取得する機構を備え、印字手段Ｆ１１は、この機構から取得した申込種類情報に基づいてレイアウト情報を取得してもよい。当該機構として、例えば、申込用紙２に種類を示すバーコードを印刷しておき、受付装置１がバーコードリーダにより種類を読み取る機構を採用できる。
【００６２】
（提示手段Ｆ１２）
提示手段Ｆ１２は、申込用紙２を受付装置１に拘束した状態で、申込用紙２のうち少なくとも印字手段Ｆ１１により印字された部分を、提示する。具体的には、提示手段Ｆ１２は、まず、印字手段Ｆ１１による印字がされた後の申込用紙２を、紙送りローラ１７を駆動して、固定カバー１２の挿通孔１２１に上部が挿入された配置になるように移動する。提示手段Ｆ１２は、次に、固定部１８を駆動して、申込用紙２を載置台１１に押止する。申込用紙２は、載置台１１に固定され、受付装置１から引き離し不能に拘束された状態となる。また、申込用紙２のうち、印字された部分は、申込者に対して提示されることになる。
【００６３】
図７は、本実施形態における提示時の申込用紙２の配置を例示する図である。図７では、申込用紙２の上部は、挿通孔１２１に挿入され、固定部１８によって載置台１１に押止されている。申込用紙２のうち、余白である上部以外は固定カバー１２に覆われることなく、露出している。そのため、申込者は、指７で触れることによって印字された点字を読み取り、申込情報を確認することができる。
【００６４】
なお、本実施形態の提示手段Ｆ１２は申込用紙２の上部のみを押止して固定するが、申込用紙２を拘束する方法は、このような方法に限らない。例えば、申込用紙２の周囲四辺すべてを押止することが採用されてもよい。
【００６５】
（申込受付手段Ｆ１３）
申込受付手段Ｆ１３は、提示手段Ｆ１２による拘束がされた状態で申込者から申込操作を受け付け、申込みに関する処理を行う。申込受付手段Ｆ１３は、窓口端末３を経由して申込みを処理するホストコンピュータ５へ申込情報を送信して、ホストコンピュータ５に、申込みを処理させる。
【００６６】
具体的には、申込受付手段Ｆ１３は、申込用紙２が固定部１８によって固定されている場合に、申込操作として申込ボタン１３の押下を受け付ける。申込受付手段Ｆ１３は、申込操作を受け付けると、印字手段Ｆ１１の印字対象となった申込情報を、通信ケーブル１４を介して窓口端末３へ送信する。申込受付手段Ｆ１３は、更に、窓口端末３に、申込情報をホストコンピュータ５へ送信させる。一方、ホストコンピュータ５は、申込情報を受信し、申込みを即座に処理するか、または、申込情報をデータベースへ格納して適時に申込みを処理することになる。
【００６７】
本実施形態の申込受付手段Ｆ１３によれば、受け付けられた申込みの申込情報が自動的に送信され、処理され得るため、申込みを効率よく処理することができる。なお、受付装置１がネットワーク６に直接接続し、申込受付手段Ｆ１３は、窓口端末３を経由せずに、ホストコンピュータ５へ申込情報を直接に送信してもよい。また、申込受付手段Ｆ１３が、申込情報の代わりに、申込みを受け付けたことを示す申込受付情報を窓口端末３へ送信してもよい。また、受付装置１が取り外し可能な記録媒体の読み書き機器を備え、申込受付手段Ｆ１３が、申込情報を、取り外し可能な記録媒体に蓄積してもよい。この場合、当該記録媒体が手動で適宜取り出されて申込みが処理される。
【００６８】
なお、申込受付手段Ｆ１３は、提示手段Ｆ１２による拘束がされていない状態では申込操作を受け付けない。更に、申込受付手段Ｆ１３は、申込用紙２の引き抜き等に起因して固定部１８が固定動作の阻害を検出していた場合、申込操作を受け付けない。このような場合、提示手段Ｆ１２による提示後に、申込用紙２が別の申込用紙２に変更されてしまっている可能性がある。そのため、申込者が、本来意図しない申込用紙２に対して申込みの意思を示すことがないように、申込受付手段Ｆ１３は、申込操作を受け付けない。
【００６９】
（受付済印字手段Ｆ１４）
受付済印字手段Ｆ１４は、申込受付手段Ｆ１３によって申込みが受け付けられた場合に、申込みが受付済みであることを示す表記を、点字及び墨字でそれぞれ申込用紙２へ印字する。具体的には、受付済印字手段Ｆ１４は、申込受付手段Ｆ１３による申込みの受け付け処理が完了すると、点字印字部１５、墨字印字部１６、及び紙送りローラ１７を制御して、申込用紙２の所定位置に受付済みの表記を点字及び墨字で印字する。ここでは、受付済みである文言、日時、店舗名、窓口担当者名等が印字される。
【００７０】
（解除手段Ｆ１５）
解除手段Ｆ１５は、申込受付手段Ｆ１３によって申込みが受け付けられた場合に、申込用紙２の拘束を解除する。本実施形態の受付済印字手段Ｆ１４は、申込受付手段Ｆ１３による申込みの受け付け処理が完了し、受付済印字手段Ｆ１４よる印字が完了すると、固定部１８を上方に移動させ、押圧による固定を解除する。結果、申込用紙２は、受付装置１から引き離し可能となる。
【００７１】
＜動作＞
本実施形態の受付装置１を含む金融サービスシステムは、例えば、視覚障害者である申込者が銀行店舗４の窓口に訪れ、送金等の書面申込みを希望する旨を窓口担当者へ申し出た場合に、利用される。この場合、例えば、窓口担当者は、顔写真付き本人確認等により申込者の本人確認を行う。窓口担当者は、その上で、申込者との対話によって申し込む金
融サービスの種類や申込みに用いられる情報を聞き、操作部３１を用いて窓口端末３へ入力する。このような入力によって、窓口端末３において、受付装置１が取得する申込情報及び申込種類情報が準備される。
【００７２】
図８及び図９を用いて、本実施形態に係る受付装置１の主な動作を説明する。なお、これらの図に示された動作や処理の内容及び順序は一例であり、動作や処理の内容及び順序には、実施の形態に適したものが適宜採用されることが好ましい。
【００７３】
図８は、提示動作の流れを例示する図である。図８に示される動作の流れは、ＵＭＬ（Ｕｎｉｆｉｅｄ  Ｍｏｄｅｌｉｎｇ  Ｌａｎｇｕａｇｅ）のアクティビティ図で記載されている。この流れは、窓口端末３で申込情報及び申込種類情報が準備されている状況において、窓口担当者が、図６（ａ）が示す受付装置１の所定位置に申込用紙２を配置し、受付装置１の動作開始を指示する操作を窓口端末３に対して行ったことを契機に開始する。
【００７４】
ステップＳ１０１では、動作開始の指示として、申込情報等が受付装置１へ送信される。窓口端末３は、動作開始を指示する操作を窓口担当者から受け付けた場合に、既に入力されている申込情報及び申込種類情報を、動作開始の指示として、通信ケーブル１４を介して受付装置１へ送信する。
【００７５】
ステップＳ１０２では、受付装置１において、申込情報が点字及び墨字で申込用紙２へ印字される。まず、受付装置１の印字手段Ｆ１１は、申込情報及び申込種類情報を窓口端末３から受信して取得する。次に、印字手段Ｆ１１は、申込情報を点字へ訳した上で、点字印字部１５及び墨字印字部１６を制御して、申込情報を申込用紙２へ印字する。この際、印字手段Ｆ１１は、申込種類情報に応じたレイアウト情報に基づき、図６（ｂ）が示すように、紙送りローラ１７を駆動して印字位置を調整する。結果、申込用紙２は、図５（ｂ）が示すように、点字及び墨字が印字された書面となる。ステップＳ１０２は、印字ステップの一例である。
【００７６】
ステップＳ１０３では、受付装置１において、申込用紙２が固定されて申込者へ提示される。受付装置１の提示手段Ｆ１２は、紙送りローラ１７を制御して、印字部分が露出するように申込用紙２を移動し、固定部１８で申込用紙２を載置台１１に固定する。結果、申込用紙２は、受付装置１に拘束され、図７が示すように、点字が読み取り可能な態様で、申込者へ提示される。ステップＳ１０３は、拘束ステップの一例である。
【００７７】
ステップＳ１０４では、申込者が、点字の申込情報を確認する。具体的には、申込者は、提示された申込用紙２に印字された点字を指等で読むことで、当該確認を行う。
【００７８】
ステップＳ１０５では、申込者が、申込情報の正誤を判断する。ステップＳ１０５で当該申込情報が正しいと判断された場合、申込者はステップＳ１０６の動作へ進む。この場合は、例えば、当該申込情報に誤記等がなく、かつ、当該申込情報の内容が申込者の意思や希望に一致している場合である。また、ステップＳ１０５で当該申込情報が正しいと判断されなかった場合、申込みは受け付けられずに、一連の動作は終了する。この場合、例えば、窓口担当者が窓口端末３を用いて申込情報を修正し、新たな申込用紙２を配置した上で、ステップＳ１０１からの動作を再度行うことが可能である。
【００７９】
ステップＳ１０６では、申込者が申込ボタン１３を押下する。動作の流れは、図９の動作の流れへ続く。
【００８０】
図９は、申込受付動作の流れを例示する図である。図９に示される動作の流れは、ＵＭＬのアクティビティ図で記載されている。この流れは、申込ボタン１３が押下されたこと
を契機に開始するものであり、図８のステップＳ１０６に続く流れである。
【００８１】
ステップＳ２０１では、申込受付手段Ｆ１３が申込用紙２の固定状況を判定する。ステップＳ２０１で、ステップＳ１０３で行われた固定部１８による固定が維持されていると判定された場合、動作はステップＳ２０２へ進む。ステップＳ２０１で、固定部１８による固定がされていない、または、固定部１８による固定動作の阻害が検出されていると判定された場合、申込操作が受け付けられずに、一連の動作は終了する。
【００８２】
なお、本実施形態では、このように申込ボタン１３が押下された後に固定状況が判定されるが、受付装置１は、申込ボタン１３が押下されるか否かに関わらず、固定部１８が固定動作の阻害を検出した場合に、申込受付に関する一連の動作を即座に終了してもよい。この場合、申込受付手段Ｆ１３は動作せず、申込みは受け付けらないことになる。また、このような場合において、受付装置１は、更に、固定部１８が固定動作の阻害を検出した際に、申込者等へ当該検出を知らせるためのアラーム音や音声を発してもよい。
【００８３】
ステップＳ２０２では、申込受付手段Ｆ１３が、申込者による申込ボタン１３の押下を、申込操作として受け付ける。ステップＳ２０１及びＳ２０２は、申込受付ステップの一例である。
【００８４】
ステップＳ２０３及びＳ２０４では、申込情報がホストコンピュータ５へ送信される。まず、ステップＳ２０３では、受付装置１の申込受付手段Ｆ１３が、申込情報を窓口端末３へ送信する。次に、ステップＳ２０４では、窓口端末３が、受信した申込情報をホストコンピュータ５へ送信する。結果、ホストコンピュータ５は、申込情報を受信し、データベースへ格納等して申込みを処理することになる。窓口端末３は、申込情報の送信に成功すると、送信完了の旨を受付装置１へ通知する。
【００８５】
ステップＳ２０５では、受付装置１の受付済印字手段Ｆ１４が、送信完了の通知を受けて、点字印字部１５、墨字印字部１６、及び紙送りローラ１７を制御して、受付済みの表記を点字及び墨字で申込用紙２へ印字する。
【００８６】
ステップＳ２０６では、受付装置１の解除手段Ｆ１５が、固定部１８を制御して、申込用紙２の固定を解除する。申込受付動作の流れは終了する。申込者は、申込用紙２を受付装置１から引き離して、申込みの内容を容易に確認可能な書面として保管することが可能となる。
【００８７】
以上述べたように、本実施形態によれば、申込用紙２が受付装置１に固定された状態で、申込情報を示す点字の印字部分が提示された後、申込ボタン１３の押下が申込操作として受け付けられる。そのため、視覚障害者等である申込者本人が、点字によって申込用紙２の記載内容を直接確認した上で、過失等による用紙の取り違い等がないままに、当該確認した申込用紙２に対して申込みの意思を表示できる。そのため、申込者の意図しない記載に基づく申込みの受け付けが抑制され、視覚障害者等が、信頼性のより高い、書面による申込みを行うことができる。
【００８８】
また、受付装置１は、点字及び墨字で印字した申込用紙２を提示する。そのため、申込者が点字により申込情報の誤記等に気づいた場合に、窓口担当者が、墨字部分を参照しながら、当該誤記等の修正の相談を進めることができる。特に、本実施形態では、内容が対応する点字列及び墨字列が、互いに近い位置に印字される。そのため、申込者が修正対象の点字列を指し示すことで、窓口担当者は容易に修正箇所を把握することができる。本実施形態の受付装置１は、このように、申込者と窓口担当者との間のコミュニケーションを円滑化することもできる。
【００８９】
更に、本実施形態によれば、申込者本人が申込み時に確認した申込用紙２そのものを申込みの証跡として保管でき、更に、その内容が点字により容易に確認可能となる。そのため、申込者は、必要に応じて即時に申込内容を確認できるという安心感を抱くことができる。
【００９０】
＜変形例１＞
以上説明してきた実施の形態では、申込用紙２に印字された申込情報は、確認用として利用された。別の実施の形態として、印字された申込情報が申込みの内容として更に利用されてもよい。この場合、受付装置１が申込用紙２の光学的な画像情報を読み取る画像読取手段を更に備える。申込受付手段Ｆ１３は、申込用紙２の拘束がされた状態で申込者から申込操作を受け付けた場合に、画像読取手段によって申込用紙２の画像情報を取得し、取得した画像情報が示す申込情報に基づく申込みを受け付ける。このような実施形態（以下「本実施形態」とも呼ぶ）について、上述の実施形態と異なる点を中心に説明する。
【００９１】
図１０は、本実施形態に係る受付装置１のハードウェア構成を例示する図である。本実施形態の受付装置１は、上述の実施の形態と比較し、イメージスキャナ１０１を固定カバー１２内部に更に有する。イメージスキャナ１０１は、ＣＣＤ（Ｃｈａｒｇｅ  Ｃｏｕｐｌｅｄ  Ｄｅｖｉｃｅ）等のイメージセンサを用いて、申込用紙２表面の画像情報を光学的に読み取る機器である。
【００９２】
本実施形態の画像読取手段は、プログラム等がＣＰＵ１９１によって実行されることで機能する。画像読取手段は、紙送りローラ１７及びイメージスキャナ１０１を用いて、申込用紙２の光学的な画像情報を読み取る。読み取られる画像情報には、申込用紙２に墨字で印字された申込情報が含まれる。
【００９３】
本実施形態の申込受付手段Ｆ１３は、申込用紙２が固定部１８によって固定されている場合において、申込ボタン１３の押下を受け付けたときに、画像読取手段によって申込用紙２の画像情報を取得する。そして、申込受付手段Ｆ１３は、取得した画像情報が示す申込情報に基づく申込みを受け付ける処理を行う。具体的には、申込受付手段Ｆ１３は、窓口端末３を介して、画像情報を申込情報として、ホストコンピュータ５へ送信する。なお、申込受付手段Ｆ１３は、画像情報の代わりに、ＯＣＲ（Ｏｐｔｉｃａｌ  Ｃｈａｒａｃｔｅｒ  Ｒｅｃｏｇｎｉｔｉｏｎ）によって画像情報から抽出した文字データを送信してもよい。
【００９４】
動作について説明する。提示動作の流れは、図８で説明した上述の実施形態と同様である。申込受付動作の流れについては、図９のステップＳ２０３の動作が異なったものとなる。本実施形態のステップＳ２０３では、まず、画像読取手段が、申込用紙２の光学的な画像情報を読み取る。次に、申込受付手段Ｆ１３が、画像情報を申込情報として窓口端末３へ送信する。次に、ステップＳ２０３では、窓口端末３が、画像情報の申込情報をホストコンピュータ５へ送信する。結果、ホストコンピュータ５は、画像情報の申込情報を受信し、データベースへ格納等して申込みを処理する。
【００９５】
以上説明したような本実施形態によれば、申込ボタン１３が押下された際の申込用紙２の記載に基づいて申込みが受け付けられる。そのため、申込みの内容を示す原本としての申込用紙２を保管等することが可能になる。万一、申込みが受け付けられた後に申込みに関する何らかのトラブルが発生した場合等に、その原本を容易に確認することができる。
【００９６】
＜変形例２＞
以上説明してきた実施の形態では、申込者が、申込操作である申込ボタン１３の押下に
より申込みの意思を受付装置１へ示した。別の実施形態として、受付装置１が申込ボタン１３の代わりに指紋センサを備え、申込者が、申込操作として、自らの指紋を指紋センサへ読み取らせて指紋認証することで、申込みの意思を受付装置１へ示してもよい。
【００９７】
この場合、受付装置１は、申込者ごとの認証用の指紋情報を不揮発性メモリ１９４に予め格納している。申込受付手段Ｆ１３は、提示手段Ｆ１２による拘束がされた状態で申込者から指紋を読み取った場合に、申込情報に含まれる申込者の情報に基づき、格納している指紋情報から申込者の指紋情報を抽出して、その指紋情報と照合して指紋認証を行う。申込受付手段Ｆ１３は、指紋認証に成功したときに、その認証操作を申込操作として受け付ける。
【００９８】
このような実施形態によれば、申込者のなりすまし等を抑制して、信頼性のより高い書面申込みを行うことができる。なお、指紋認証に限らず、静脈認証、虹彩認証その他の生体認証が採用されてもよい。また、生体認証ではなく、暗証番号による認証が採用されてもよい。
【００９９】
＜変形例３＞
以上説明してきた実施の形態では、申込用紙２が１枚の用紙であったが、申込用紙２は、分離可能な複数枚の用紙が重ねられた複写式の用紙であってもよい。複写式の用紙として、例えば、感圧紙やカーボン紙を重ね合わせて剥離可能に貼着させた用紙を採用できる。
【０１００】
この場合、墨字印字部１６が墨字により申込用紙２へ印字すると、重なっている各用紙に墨字が複写されて印字される。また、点字印字部１５が、点字により申込用紙２へ印字すると、重なっている各用紙に突起が形成され、点字も複写されて印字される。そのため、申込みの受け付けが完了した後に、申込用紙２を重なっている各用紙を分離することで、申込情報及び受付済みが印字された複数枚の用紙を得ることが可能である。そのため、分離した用紙それぞれを、例えば、申込者用、銀行用として保管することができる。
【０１０１】
＜変形例４＞
以上説明してきた実施の形態では、受付装置１が銀行店舗４の窓口に設置されたが、受付装置１は、申込者の自宅等に設置されてもよい。この場合、例えば、受付装置１がインターネットに接続して通信し、インターネット電話の対話等を通してオペレータが入力した申込情報を、受付装置１の印字手段Ｆ１１が取得して、申込用紙２に点字及び墨字で印字する。提示手段Ｆ１２によって提示された後、申込者が点字で申込情報を確認して、申込ボタン１３を押下すると、受付装置１が当該押下を受け付け、申込みの処理を行う。具体的には、申込受付手段Ｆ１３が、インターネットを介して、申込情報をホストコンピュータ５または窓口端末３へ送信して、申込みを受け付ける。
【０１０２】
このような実施形態によれば、視覚障害者等は、店舗窓口を訪れなくても、自宅等に居ながら信頼性の高い書面申込みを行うことができる。
【符号の説明】
【０１０３】
１      受付装置
１１    載置台
１０１  イメージスキャナ
１２    固定カバー
１２１  挿通孔
１３    申込ボタン
１４    通信ケーブル
１５    点字印字部
１６    墨字印字部
１７    紙送りローラ
１８    固定部
１９    制御部
１９１  ＣＰＵ
１９２  ＲＡＭ
１９３  ＲＯＭ
１９４  不揮発性メモリ
１９５  通信インターフェース部
２      申込用紙
３      窓口端末
３１    操作部
４      銀行店舗
５      ホストコンピュータ
６      ネットワーク
７      指
【図１】
0006022494.tif 000002
【図２】
0006022494.tif 000003
【図３】
0006022494.tif 000004
【図４】
0006022494.tif 000005
【図５】
0006022494.tif 000006
【図６】
0006022494.tif 000007
【図７】
0006022494.tif 000008
【図８】
0006022494.tif 000009
【図９】
0006022494.tif 000010
【図１０】
0006022494.tif 000011